(57)【要約】【課題】冷却パックを枕の上に置いて寝るのに便利な冷却枕を提供する。【解決手段】枕カバー１にポケット２を取り付けて中に冷却パック３を入れ、枕カバー１で枕芯材４を包んで枕を形成し、この枕の上面の中央に冷却パック３が入ったポケット２を配置する。【選択図】図２
2007325834.tif 000002
【特許請求の範囲】
【請求項１】
枕を形成する枕芯材と、
この枕芯材を包む枕カバーと、
この枕カバーに取り付けて枕の上面の中央に配置するポケットと、
このポケットに収容する畜冷剤入りの冷却パックと、
を備えてなることを特徴とする冷却枕。
【請求項２】
前記枕芯材が低反発枕であることを特徴とする請求項１記載の冷却枕。
【請求項３】
前記枕カバーが使い捨て紙おむつと同じ材料の不織布であることを特徴とする請求項１記載の冷却枕。
【請求項４】
前記ポケットには使い捨て紙おむつと同じ吸収材料が配置されていることを特徴とする請求項１記載の冷却枕。
【請求項５】
前記枕カバーにクッション材を挿入して前記ポケットの上に重ねる別のポケットが取り付けられていることを特徴とする請求項１記載の冷却枕。
【請求項６】
前記枕カバーに生理用品、防災用品、貴重品のいずれかを収納するポケットが取り付けられていることを特徴とする請求項１記載の冷却枕。
【請求項７】
前記枕カバーを上下２分割し、
その上半部の中央に前記ポケットを取り付け、
下半部に前記枕芯材を収容し、
この下半部に前記上半部を折り重ねて前記ポケットを枕の上面の中央に配置することを特徴とする請求項１記載の冷却枕。
【請求項８】
前記枕カバーの全体が袋状であることを特徴とする請求項７記載の冷却枕。
【請求項９】
前記枕カバーの上半部が帯状で下半部が袋状であることを特徴とする請求項７記載の冷却枕。
【請求項１０】
前記枕カバーの上半部が帯状で下半部がロール状であることを特徴とする請求項７記載の冷却枕。
【請求項１１】
前記枕カバーの全体が帯状であることを特徴とする請求項７記載の冷却枕。
【請求項１２】
前記上半部が面ファスナ留め、ボタン留め、ホック留めのいずれかの手段により下半部に係止されることを特徴とする請求項７記載の冷却枕。
【発明の詳細な説明】
【技術分野】
【０００１】
本発明は、発熱時や就寝時に頭部を冷やして熱や暑さを和らげるために使用する冷却枕に関する。
【背景技術】
【０００２】
暑くて眠れない夜などに、畜冷剤入りの冷却パックを冷蔵庫で凍らせて枕にのせて寝ると、頭が冷えて一晩中自然な冷たさと清涼感を感じて熟睡できるようになる。
一方、クーラーをつけたまま眠ると手足が冷えるので、その刺激が脳を刺激して、眠りを妨げるようになる。また、翌朝目覚めたときに身体がだるくなったり、肩こりや頭痛がしたりするなどの弊害がある。
昔から「頭寒足熱」が安眠の条件といわれており、冷却パックで頭を涼しく保つ冷却枕は手軽な快眠手段として人気がある。
【０００３】
冷却パックは凍るとガチガチに固まる。そのため頭部に直接当てると固い板の上に頭をのせて寝るような感じになり、また、冷たすぎるので寝心地が悪くなる。
そのため冷蔵庫で凍らせた冷却パックをタオルなどに包んで枕の上に置いて寝るのが一般的であるが、これだと寝ているうちにずれ落ちてしまい、一晩中頭を涼しく保つことができなくなる。また、いちいちタオルに包むのも面倒である。
【発明の開示】
【発明が解決しようとする課題】
【０００４】
解決しようとする問題点は以上のような点であり、本発明は、冷却パックを枕の上に置いて寝るのに便利な冷却枕を提供することを目的になされたものである。
【課題を解決するための手段】
【０００５】
そのため本発明は、枕を形成する枕芯材と、この枕芯材を包む枕カバーと、この枕カバーに取り付けて枕の上面の中央に配置するポケットと、このポケットに収容する畜冷剤入りの冷却パックとを備えてなることを最も主要な特徴とする。
【発明の効果】
【０００６】
本発明の冷却枕は、枕芯材を包む枕と一体の枕カバーにポケットを取り付けるので、冷却パックをこのポケットに入れて簡単に枕の上に固定することができる。
また、ポケットの裏側の枕カバーに柔軟性、断熱性を有するクッション材を当てることで冷却パックをタオルなどに巻く手間も省ける。
【発明を実施するための最良の形態】
【０００７】
以下、本発明の実施の形態について説明する。
【０００８】
図１と図２に、本発明を実施した冷却枕の斜視図と断面図を示す。
冷却枕は、枕カバー１にポケット２を取り付けて中に冷却パック３を入れ、枕カバー１で枕芯材４を包んで枕を形成し、この枕の上面の中央に冷却パック３が入ったポケット２を配置する構成である。
【０００９】
枕カバー１は、感触が柔らかく、清涼感があり、凍結しても可撓性と柔軟性を失わず、伸縮性に優れる天然繊維、合成繊維、化学繊維などの布や樹脂製のメッシュで形成する。
あるいは、使い捨て紙おむつに用いるポリプロピレン系不織布などで形成してもよい。
その場合、使い捨てが可能になり、不特定多数の人が利用するホテルや病院などで使用するのに好適である。
【００１０】
枕カバー１には全体が袋状のもの、上下２分割した上半部が帯状で下半部が袋状のもの、上半部が帯状で下半部がロール状のもの、全体が帯状のものなどがある。
【００１１】
ポケット２は、入口を開放したままでもよいが、ファスナやボタン、ホックなどを用いて入口を閉じ、中の冷却パック３が外に出ないようにする。
あるいは、入口に折り返しを設けて中の冷却パック３が外に出ないようにしてもよい。
あるいは、伸縮性のある布またはメッシュで形成し、布やメッシュの張力で押さえ付けて中の冷却パック３が外に出ないようにしてもよい。
ポケット２の入口は横方向、縦方向のいずれの方向に開けてもよい。
【００１２】
ポケット２は、内側や外側を２重構造にして間に使い捨て紙おむつに用いる吸収材料を配置する。
これにより冷却パック３の結露による水分の漏れを防ぎ、ポケット２の表面が湿らないようにする。
【００１３】
冷却パック３は、図３に示すように、２つ折りにした樹脂フィルム５の３方の周辺部６を熱溶着してシールした袋の中に畜冷剤７を入れたもので、凍結時は固化して固くなる。
冷却パック３をポケット２に収容する際は、タオルなどに巻いて収容してもよい。
これにより、冷却パック３が頭部に当たる感触と冷えすぎを和らげることができる。
【００１４】
枕芯材４は、低反発ウレタンフォームで形成した低反発枕を使用し、上面に波状の凹凸を設けて首から肩にかけての頚椎のカーブに沿って体圧を支持するようになっている。
これにより頚椎の形や動きに応じて形状を変化させることができ、首から肩にかけての体圧を均一に吸収、分散させて体圧が一点に集中するのを防いでいる。
そのため枕をしたときに感じる首まわりの圧迫感がなくなり、血行を妨げることもなくなる。
低反発枕は熱がこもる性質があるので、このようにポケット２の中に冷却パック３を入れた枕カバー１を装着するとより快適に利用できる。
【００１５】
枕芯材４は低反発ウレタンフォームの他に、羽毛、真綿、蕎麦殻、ビーズなどの材料で形成してもよく、これにより枕芯材４の材料を限定するものではない。
また、枕芯材４の上面を波状に起伏させているが、上面がフラットなタイプのものであってもよい。
【００１６】
図４に、全体が袋状の枕カバーの使用説明図を示す。
最初に枕カバー１の中に枕芯材４を入れ、奥行き方向に押し込んで枕カバー１の下半部に枕芯材４を収容する。
次にポケット２の中に冷却パック３を入れ、ポケット２に冷却パック３を収容する。
次にポケット２を内側にして枕カバー１の上半部を引っ張り、テンションを掛けながら巻き付けるように下半部に折り重ねる。
最後に枕カバー１に取り付けた面ファスナやボタン、ホックなどを用いて上半部を下半部に係止する。
これより枕カバー１の裏側に冷却パック３の入ったポケット２を枕の上面の中央に配置した冷却枕が出来上がる。
【００１７】
図５に、上半部が帯状で下半部が袋状の枕カバーの使用説明図を示す。
最初に枕カバー１の下半部の袋の中に枕芯材４を入れ、枕カバー１の下半部に枕芯材４を収容する。
次にポケット２の中に冷却パック３を入れ、ポケット２に冷却パック３を収容する。
次にポケット２を内側にして枕カバー１の上半部を引っ張り、テンションを掛けながら巻き付けるように下半部に折り重ねる。
最後に枕カバー１に取り付けた面ファスナやボタン、ホックなどを用いて上半部を下半部に係止する。
これより枕カバー１の裏側に冷却パック３の入ったポケット２を枕の上面の中央に配置した冷却枕が出来上がる。
【００１８】
図６に、上半部が帯状で下半部がロール状の枕カバーの使用説明図を示す。
最初に枕カバー１の下半部のロールの中に枕芯材４を入れ、枕カバー１の下半部に枕芯材４を収容する。
次にポケット２の中に冷却パック３を入れ、ポケット２に冷却パック３を収容する。
次にポケット２を内側にして枕カバー１の上半部を引っ張り、テンションを掛けながら巻き付けるように下半部に折り重ねる。
最後に枕カバー１に取り付けた面ファスナやボタン、ホックなどを用いて上半部を下半部に係止する。
これより枕カバー１の裏側に冷却パック３の入ったポケット２を枕の上面の中央に配置した冷却枕が出来上がる。
【００１９】
図７に、全体が帯状の枕カバーの使用説明図を示す。
最初に枕カバー１の下半部を枕芯材４に巻き付け、枕カバー１の下半部に枕芯材４を収容する。
次にポケット２の中に冷却パック３を入れ、ポケット２に冷却パック３を収容する。
次にポケット２を内側にして枕カバー１の上半部を引っ張り、テンションを掛けながら巻き付けるように下半部に折り重ねる。
最後に枕カバー１に取り付けた面ファスナやボタン、ホックなどを用いて上半部を下半部に係止する。
これより枕カバー１の裏側に冷却パック３の入ったポケット２を枕の上面の中央に配置した冷却枕が出来上がる。
【００２０】
図４〜７に示すポケット２はいずれも枕カバー１の上半部に取り付けているが、下半部に取り付けてもよい。
また、図では上半部を下半部に折り重ねたとき、ポケット２が枕カバー１の内側に来るように取り付けているが、外側に来るように図の裏側に取り付けてもよい。
【００２１】
また、図８に示すように、枕カバー１の両面にポケット２を取り付け、表側のポケット２に冷却パック３を入れ、裏側のポケット２にクッション材８を入れてもよい。
これにより枕カバー１の上半部を下半部に折り重ねたとき、クッション材８を入れた裏側のポケット２が冷却パック３を入れた表側のポケット２の上に来るので、冷却パック３が頭部に当たる感触と冷えすぎを和らげることができる。
そのため冷却パック３をポケット２に収容する際にタオルなどで巻く手間を省くことができる。
ポケット２にクッション材８を入れる代わりに、冷却パック３を入れるポケット２の裏側にクッション材８を直接張り合わせてもよい。
【００２２】
クッション材８は、弾性と柔軟性を兼ね備えたスポンジやウレタンフォームなどの合成樹脂発泡体、軟質ゴム、グラスウール、樹脂綿および天然繊維、化学繊維、合成繊維、無機繊維を原材料とする不織布などで形成する。
このようにクッション材８を入れるポケット２を設けることで、中からクッション材８を取り出して枕カバー１を洗濯できるようになる。
【００２３】
本発明を実施した冷却枕は以上のような構成で、冷却パック３を冷凍庫などで冷やし、凍結したら取り出して枕カバー１のポケット２に入れ、枕カバー１を枕芯材４に装着して枕を形成し、その上に頭をのせて寝る。
このとき枕の上の冷却パック３はポケット２に拘束されてずれ落ちることがなくなる。
また、裏側のポケット２に入れたクッション材８によって頭部に当たる感触と冷えすぎを和らげることができる。
【００２４】
本発明の冷却枕は、個人で使用する他にアイスボックスとセットでホテルや病院などに置くと、顧客サービスや患者サービスの向上に繋がる。
例えば、ホテルの客室などに未使用であることが判るようにビニール袋などに入れて封をした清潔な枕カバー１とアイスボックスに入れた冷却パック３を置いておけば、客が好みに応じてアイスボックスから冷却パック３を取り出し、それを枕カバー１のポケット２に入れて使用することができる。
このサービスは、比較的冷房が普及していない中近東や中南米などの熱い国や地球温暖化などの影響で最近特に暑くなりつつあるヨーロッパなどの国や地域に有効である。
【図面の簡単な説明】
【００２５】
【図１】本発明を実施した冷却枕の斜視図である。
【図２】図１の断面図である。
【図３】冷却パックの断面図である。
【図４】全体が袋状の枕カバーの使用説明図である。
【図５】上半部が帯状で下半部が袋状の枕カバーの使用説明図である。
【図６】上半部が帯状で下半部がロール状の枕カバーの使用説明図である。
【図７】全体が帯状の枕カバーの使用説明図である。
【図８】両面ポケットの断面図である。
【符号の説明】
【００２６】
１          枕カバー
２          ポケット
３          冷却パック
４          枕芯材
５          樹脂フィルム
６          周辺部
７          畜冷剤
８          クッション材
【図１】
2007325834.tif 000003
【図２】
2007325834.tif 000004
【図３】
2007325834.tif 000005
【図４】
2007325834.tif 000006
【図５】
2007325834.tif 000007
【図６】
2007325834.tif 000008
【図７】
2007325834.tif 000009
【図８】
2007325834.tif 000010